(57)【要約】【課題】  総ゴム入りのパンツのウエスト部に設けられるストレッチインベルから形成されるゴムベルト素材のもつ機能性及び伸縮性を生かして、簡単でかつ容易な総ゴムパンツのウエスト調節構造を提供するものである。【解決手段】  総ゴムベルト３の両端を自由端として、その一端に鋸歯状の噛合部８を設けた留金４を、また他端に設けられる調節部５は保持片７と折返し片６とよりなり、前記保持片７の少なくとも一面及び折返し片６の先端側に設けられる引掛部１０ａの周辺部の両面に布地１１を張着して、留金４を挿通して所定の調節部位で折り返して形成される折返し片６を噛合部８で押圧して固定し、保持片７に着脱可能に係止され、折返し片６の先端側に設けられる引掛部１０ａと保持片７の対応する掛止部１０ｂからなる着脱自在な係止手段１０を設けて、挿通固定された折返し片６を係止するものである。【選択図】図１
0003124744.tif 000002
【実用新案登録請求の範囲】
【請求項１】
ストレッチインベルから形成される総ゴムベルトの両端を自由端として、その一端には鋸歯状の噛合部を有する留金を設け、また、他端には前記留金を挿通して所定の調節部位で折り返し、留金の噛合部により噛合固定されて形成される折返し片と総ゴムベルトを延長して形成される保持片を有し、該保持片の少なくとも一面及び折返し片の先端側に設けられる引掛部の周辺部の両面に布地を張着してなる調節部を設け、該調節部の先端側を留金に挿通して必要とする調節幅の長さ分折り返し、この折返し部位を留金の噛合部で押圧して固定するとともに、折返し片の先端側の一面に設けられる引掛部と保持片の対応する位置に設けられる調節可能な掛止部からなる着脱自在な係止手段で係止してなる総ゴムパンツのウエスト調節構造。
【請求項２】
総ゴムベルトの両端に設けられる留金と調節部により形成される調節部位を被覆してなる覆片を設けてなる総ゴムパンツのウエスト調節構造。
【考案の詳細な説明】
【技術分野】
【０００１】  本考案は、ストレッチインベルからなるゴムベルトをウエスト部に設けた総ゴムパンツのウエスト調節構造に関するものである。
【背景技術】
【０００２】  従来、とくに中高年に利用者の多い総ゴム入りのパンツは、長期間の使用によるゴムの磨耗あるいは繰り返しの洗濯等による弾力性の劣化により緩み、パンツ自体のサイズが変わり、ゴムの交換が求められることが多いが、総ゴムパンツはその構造上ゴムのみの交換が非常に困難であった。【０００３】  この総ゴムパンツに限らず、通常着用されるズボン、スカート、ワンピース等の被服類において、そのウエスト部分に取付けられるベルト類を調整するようにバックル金具を用いてその長さを調整する方法が行われている。【０００４】  その一例として、ウエスト部に配置したウエスト弾着用伸縮帯の自由端部側を伸縮してその伸縮位置を保持するロック部を設けて、伸縮帯の締め付け強弱を調整するものがある（例えば、特許文献１参照）。【０００５】  また、パンツのウエスト部において、弾性の平ゴムよりなるウエストゴムを平坦状の係止金具より引き出してループで止めるようにしてなるものがある（例えば、特許文献２参照）。【０００６】
【特許文献１】  登録実用新案第３０２５０６２号公報
【特許文献２】  特開２００３−３３０５号公報
【考案の開示】
【考案が解決しようとする課題】
【０００７】  しかしながら、この種の従来のベルトの調節は、前者においては、部品点数が多くコスト高になり易く製造や取付け段階で煩雑な作業を必要とし、また着用段階においてもロック部を係脱する操作に手間が掛かり、またその調節範囲を任意に行うことができにくかった。【０００８】  さらに、後者のベルトの調節においては、ウエストゴムを平坦状の係止金具に挿通されて引き出してループで止めているため、十分な強度が得られず着用している際無理な姿勢から力が調節部分に集中したり、ループから突出されている折り返し部分が接触して生じるねじれ現象等によりループから剥がれたりする恐れがあった。【０００９】  本考案は、総ゴム入りのパンツのウエスト部に設けられるストレッチインベルから形成されるゴムベルト素材のもつ機能性及び伸縮性を生かして、簡単でかつ容易な総ゴムパンツのウエスト調節構造を提供するものである。
【課題を解決するための手段】
【００１０】  上記目的を達成するため、本考案に係る総ゴムパンツのウエスト調節構造は、ストレッチインベルから形成される総ゴムベルトの両端を自由端として、その一端には鋸歯状の噛合部を有する留金を設け、また、他端には前記留金を挿通して所定の調節部位で折り返し、留金の噛合部により噛合固定されて形成される折返し片と総ゴムベルトを延長して形成される保持片を有し、該保持片の少なくとも一面及び折返し片の先端側に設けられる引掛部の周辺部の両面に布地を張着してなる調節部を設け、該調節部の先端側を留金に挿通して必要とする調節幅の長さ分折り返し、この折返し部位を留金の噛合部で押圧して固定するとともに、折返し片の先端側の一面に設けられる引掛部と保持片の対応する位置に設けられる調節可能な掛止部からなる着脱自在な係止手段で係止してなることを特徴とするものである。【００１１】  さらに、総ゴムベルトの両端に設けられる留金と調節部により形成される調節部位を被覆してなる覆片を設けてなるものである。
【考案の効果】
【００１２】  上記の構成を有する本考案に係る総ゴムパンツのウエスト調節構造によれば、ストレッチインベルから形成される総ゴムベルトの両端を自由端として、その一端には鋸歯状の噛合部を有する留金を設け、また、他端には前記留金を挿通して所定の調節部位で折り返し、留金の噛合部により噛合固定されて形成される折返し片と総ゴムベルトを延長して形成される保持片を有し、調節部の先端側を留金に挿通して必要とする調節幅の長さ分折り返し、この折返し部位を留金の噛合部で押圧して固定することにより、ストレッチインベルから形成される総ゴムベルトの伸縮特性と相俟って容易に調節を行いことができかつ着用後においても強固に固定して調節状態を長期間維持することができる。【００１３】  さらに、折返し片の先端側の一面に設けられる引掛部と保持片の対応する位置に設けられる掛止部からなる着脱可能な係止手段で係止してなることにより、ベルト部に密着して重なり合った状態で位置され、折返し片が妄りに搖動したり、摺動したりすることがなく留金による押圧係止をより強固に保持することができる。【００１４】  さらに、調節部は保持片の少なくとも一面及び折返し片の先端側に設けられる引掛部の周辺部の両面に布地を張着することにより、調節部位の伸縮が防がれて係止手段の脱抜を防止することができる。【００１５】  また、調節部の保持片に設けられる係止手段の掛止部は、折返し片の長さに対応するようにその係止位置を変化させることにより、折返し片をベルト部に常に密接した状態で重ね合わせることができる。【００１６】  さらに、総ゴムベルトの両端に設けられる留金と調節部により形成される調節部位を被覆してなる覆片を設けることにより、着用している際不意の接触等により係止状態を解除されることを防止することができる。
【考案を実施するための最良の形態】
【００１７】  以下本考案に係る総ゴムパンツのウエスト調節構造について、添付図面を用いて説明する。
図１は、本考案を構成する総ゴムパンツの調節構造を示す正面図、図２は、調節構造の保持片及び折返し片を示す正面図、図３は、留金の一例を示す端面図、図４は、覆片を示す正面図、図５は調節構造を取付けた総ゴムパンツの側面状態を示す略示図である。【００１８】  本考案に係る総ゴムパンツに形成されるウエスト調節構造は、図５に示すように、総ゴムパンツ１のウエスト部２の側部に設けられるもので、ストレッチインベルから形成される総ゴムベルト３の両端を自由端として、その一端に留金４を、また他端に総ゴムベルト３を延長して形成される調節部５を設けてなるものである。【００１９】  総ゴムベルト３の他端に形成される調節部５は、図１及び図２に示すように、自由端の一端に取付けられている留金４を挿通して、所定の調節部位で折り返して形成される折返し片６を、総ゴムベルト３を延長して形成される保持片７に着脱可能に係止されるものである。【００２０】  総ゴムベルト３の一端に取付けられる留金４は、図１及び図３に示すように、鋸歯状の噛合部８を設けて、挿通孔９を介して調節部５の先端側を挿通して必要とする調節幅の長さを有して折り返し、この折返し部位を噛合部８で押圧して固定するものである。【００２１】  調節部５には、折返し片６の先端側の一面に設けられる爪状の引掛部１０ａと調節範囲により異なる折返し片６の長さを調節可能とするよう保持片７の対応する位置に設けられる複数の帯状片を有する掛止部１０ｂからなる着脱自在な係止手段１０を設けて、挿通固定された折返し片６の不用意な搖動や摺動を防止するものである。【００２２】  また、調節部５は保持片７の少なくとも一面及び折返し片６の先端側に設けられる引掛部１０ａの周辺部の両面に布地１１を縫製等により張着して、調節部５とくに係止手段１０の係止部位における伸縮を防止しているものである。【００２３】  留金４及び調節部５には、図４に示すように、柔軟性を有する布地から形成される覆片１２がその上部を総ゴムベルト３や調節部５の保持片７に固着され、その下部を留金４がより確実に被覆するよう傾斜状としてフック等の止着手段１３で取外し可能に取付けられている。
なお、この止着手段１３の取付け位置は、図示のように、総ゴムベルト３に近接するウエスト部２に設けるものでも、また、総ゴムベルト３や調節部５に設けるものであってもよい。【００２４】  このように構成される本考案に係る総ゴムパンツのウエスト調節構造は、調節時、総ゴムベルト３の一端に取付けられた留金４の挿通孔９を介して調節部５を挿通して、予め定めた調節位置で折り返して、留金４を押圧して折返し部位を噛合部８により噛合固定するとともに係止手段１０、すなわち、折返し部６の先端側の一面に設けられる引掛部１０ａを保持片７の対応する位置に設けられている複数の帯状片からなる掛止部１０ｂを選択して引掛け係止するとともに覆片１２によりこの調節部位を被覆しで止着手段１３で固定するものである。
【図面の簡単な説明】
【００２５】
【図１】  本考案を構成する総ゴムパンツの調節構造の要部を示す正面図。
【図２】  同じく調節構造を示すもので、（イ）は保持片を、また（ロ）は折返し片を示す正面図。
【図３】  留金の一例を示す断面図。
【図４】  覆片を備えた調節構造の要部を示すもので、（イ）はその解放状態を、また（ロ）は被覆状態を示す正面図。
【図５】  調節構造を取付けた総ゴムパンツの側面状態を示す略示図。
【符号の説明】
【００２６】      １        総ゴムパンツ
２        ウエスト部
３        総ゴムベルト
４        留金
５        調節部
６        調節部５の折返し片
７        調節部５の保持片
８        留金４の噛合部
９        留金４の挿通孔
１０      調節部５の係止手段
１０ａ    係止手段１０の引掛部
１０ｂ    係止手段１０の掛止部
１１      布地
１２      覆片
１３      止着手段
【図１】
0003124744.tif 000003
【図２】
0003124744.tif 000004
【図３】
0003124744.tif 000005
【図４】
0003124744.tif 000006
【図５】
0003124744.tif 000007
【手続補正書】
【提出日】平成18年5月31日(2006.5.31)
【手続補正１】
【補正対象書類名】実用新案登録請求の範囲
【補正対象項目名】請求項２
【補正方法】変更
【補正の内容】
【請求項２】
総ゴムベルトの両端に設けられる留金と調節部により形成される調節部位を被覆してなる覆片を設けてなることを特徴とする請求項１記載の総ゴムパンツのウエスト調節構造。